【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
廃水用撹拌装置であって、
組立後の状態で鉛直方向に伸びる駆動シャフト（４）を備えた駆動装置（１）と、
前記駆動シャフト（４）に設置される撹拌体（５）と、
前記駆動シャフト（４）の自由端（Ｅ）が回転自在に保持される安全軸受（７）とを備えた廃水用撹拌装置において、
スライドスリーブ（１４）が前記駆動シャフト（４）の自由端（Ｅ）に設置されており、該スライドスリーブ（１４）の摩耗状態を検出する装置（１３、１６、１７）が設けられており、
前記の摩耗状態を検出する装置（１３、１６、１７）は、前記安全軸受（７）に設置された、磁場センサまたは誘導コイルからなるセンサ（１３）と、該センサ（１３）によりもたらされた信号を評価する、評価装置（ＡＷ）を備え、
前記センサ（１３）によって検出可能な少なくとも１つの永久磁石（１６）が、前記スライドスリーブ（１４）に収納されていることを特徴とする撹拌装置。
【請求項２】
請求項１に記載の撹拌装置であって、前記評価装置（ＡＷ）は、所定の摩耗状態の検出に応じて、前記駆動装置（１）を自動的にスイッチオフする回路（Ｓ）を備える、撹拌装置。
【請求項３】
請求項１または２に記載の撹拌装置であって、前記の摩耗状態を検出する装置（１３、１６、１７）は、前記評価装置（ＡＷ）により決定された操作状態を表示する表示装置（Ｐ３，Ｐ４）を備える、撹拌装置。
【請求項４】
請求項３に記載の撹拌装置であって、前記操作状態が、前記スライドスリーブ（１４）の摩耗状態及び／または緊急停止状態である、撹拌装置。
【請求項５】
請求項１〜４のいずれか一項に記載の撹拌装置であって、前記安全軸受（７）が前記スライドスリーブ（１４）を囲繞する軸受ブッシュ（１２）を備え、前記センサ（１３）が該軸受ブッシュ（１２）に設置されている、撹拌装置。
【請求項６】
請求項５に記載の撹拌装置であって、前記安全軸受（７）は、廃水タンクの基底部（２）に固定するための保持装置（８）を備え、前記軸受ブッシュ（１２）は、前記保持装置（８）に脱着自在に固定される、撹拌装置。
【請求項７】
請求項１〜６のいずれか一項に記載の撹拌装置であって、前記磁場センサはリードスイッチまたはホール効果センサである、撹拌装置。
【請求項８】
請求項１〜７のいずれか一項に記載の撹拌装置であって、複数の永久磁石（１６）が、前記スライドスリーブ（１４）の周に沿って分布する形で、前記スライドスリーブ（１４）に収納されている、撹拌装置。
【請求項９】
請求項８に記載の撹拌装置であって、前記永久磁石が、前記周に沿って均等に分布している、撹拌装置。
【請求項１０】
請求項８または９に記載の撹拌装置であって、前記複数の永久磁石は、前記スライドスリーブ（１４）の外周部（Ａ）に対し互いに異なる深さで、該スライドスリーブ（１４）内に設けられている、撹拌装置。
【請求項１１】
請求項１〜１０のいずれか一項に記載の撹拌装置であって、前記撹拌体（５）が、双曲面体状に形成されている、撹拌装置。
【手続補正２】
【補正対象書類名】明細書
【補正対象項目名】００３０
【補正方法】変更
【補正の内容】
【００３０】
図１４は、第三の検出装置の概略断面図である。この場合、スライドスリーブ１４には、接触ピン１７が設けられており、これは金属製の駆動シャフト４と電気伝導性をもって接続される。この場合、スライドスリーブ１４は、例えばプラスチックから製造される。ここで、同様に金属製の軸受ブッシュ１２との接続による単純な電気的接触が、センサ１３として用いられる。接触ピン１７が軸受ブッシュ１２と接続している状態は、単純に抵抗を測定する手段により、検知できる。この種の信号も同様に、駆動装置１の停止に用いることができる。
なお、本発明は、実施の態様として以下の内容を含む。
〔態様１〕
廃水用撹拌装置であって、
組立後の状態で鉛直方向に伸びる駆動シャフト（４）を備えた駆動装置（１）と、
前記駆動シャフト（４）に設置される撹拌体（５）と、
前記駆動シャフト（４）の自由端（Ｅ）が回転自在に保持される安全軸受（７）とを備え、
スライドスリーブ（１４）が前記駆動シャフト（４）の自由端（Ｅ）に設置されており、該スライドスリーブ（１４）の摩耗状態を検出する装置（１３、１６、１７）が設けられていることを特徴とする、
廃水用撹拌装置。
〔態様２〕
態様１に記載の撹拌装置であって、前記の摩耗状態を検出する装置（１３、１６、１７）は、前記安全軸受（７）に設置されたセンサ（１３）と、該センサ（１３）によりもたらされた信号を評価する、評価装置（ＡＷ）を備える、撹拌装置。
〔態様３〕
態様１または２に記載の撹拌装置であって、前記評価装置（ＡＷ）は、所定の摩耗状態の検出に応じて、前記駆動装置（１）を自動的にスイッチオフする回路（Ｓ）を備える、撹拌装置。
〔態様４〕
態様１〜３のいずれか一態様に記載の撹拌装置であって、前記の摩耗状態を検出する装置（１３、１６、１７）は、前記評価装置（ＡＷ）により決定された操作状態を表示する表示装置（Ｐ３，Ｐ４）を備える、撹拌装置。
〔態様５〕
態様１〜４のいずれか一態様に記載の撹拌装置であって、前記操作状態が、前記スライドスリーブ（１４）の摩耗状態及び／または緊急停止状態である、撹拌装置。
〔態様６〕
態様１〜５のいずれか一態様に記載の撹拌装置であって、前記安全軸受（７）が前記スライドスリーブ（１４）を囲繞する軸受ブッシュ（１２）を備え、前記センサ（１３）が該軸受ブッシュ（１２）に設置されている、撹拌装置。
〔態様７〕
態様１〜６のいずれか一態様に記載の撹拌装置であって、前記安全軸受（７）は、廃水タンクの基底部（２）に固定するための保持装置（８）を備え、前記軸受ブッシュ（１２）は、前記保持装置（８）に脱着自在に固定される、撹拌装置。
〔態様８〕
態様１〜７のいずれか一態様に記載の撹拌装置であって、前記センサ（１３）は磁場センサ、誘導コイル、スイッチ接点、歪センサ、または振動センサである、撹拌装置。
〔態様９〕
態様１〜８のいずれか一態様に記載の撹拌装置であって、前記磁場センサはリードスイッチまたはホール効果センサである、撹拌装置。
〔態様１０〕
態様１〜９のいずれか一態様に記載の撹拌装置であって、前記センサ（１３）によって検出可能な被検出素子が少なくとも一つ、前記スライドスリーブ（１４）に収納されている、撹拌装置。
〔態様１１〕
態様１〜１０のいずれか一態様に記載の撹拌装置であって、複数の被検出素子が、前記スライドスリーブの周に沿って分布する形で、前記スライドスリーブに収納されている、撹拌装置。
〔態様１２〕
態様１〜１１のいずれか一態様に記載の撹拌装置であって、前記被検出素子が、前記周に沿って均等に分布している、撹拌装置。
〔態様１３〕
態様１〜１２のいずれか一態様に記載の撹拌装置であって、前記複数の被検出素子は、前記スライドスリーブ（１４）の外周部（Ａ）に対し互いに異なる深さで、該スライドスリーブ（１４）内に設けられている、撹拌装置。
〔態様１４〕
態様１〜１３のいずれか一態様に記載の撹拌装置であって、前記被検出素子は、永久磁石（１６）または前記駆動シャフト（４）に電気伝導性を持って接続されたスイッチ接点（１７）である、撹拌装置。
〔態様１５〕
態様１〜１４のいずれか一態様に記載の撹拌装置であって、前記撹拌体（５）が、双曲面体状に形成されている、撹拌装置。